【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
ＵＥによって実行される、ワイヤレスネットワークサービスを検出するための方法であって、
ネットワークからの１つまたは複数のブロードキャストメッセージを発見することと、ここにおいて、前記１つまたは複数のブロードキャストメッセージは、無認可周波数帯域中でセルラー無線アクセス技術（ＲＡＴ）を介してサービスプロバイダネットワークにアクセスするためのサービスを広告する、
前記サービスプロバイダネットワークに関係するサービスプロバイダを識別することに基づいて、前記ネットワークを選択することに関係する１つまたは複数のユーザ定義ポリシーまたは事業者定義ポリシーを決定することと、
前記１つまたは複数のユーザ定義ポリシーまたは事業者定義ポリシーに少なくとも部分的に基づいて、アクセスのための前記ネットワークを選択することと
を備える、方法。
【請求項２】
前記１つまたは複数のユーザ定義ポリシーまたは事業者定義ポリシーのうちの少なくとも１つが、ワイヤレスローカルエリアネットワークと、前記無認可周波数帯域中で前記セルラーＲＡＴを使用して通信する前記ネットワークの両方に関する、請求項１に記載の方法。
【請求項３】
前記ネットワークを発見することが、ワイヤレスローカルエリアネットワーク（ＷＬＡＮ）と、前記無認可周波数帯域中で前記セルラーＲＡＴを使用して通信するネットワークの両方を含む複数のネットワークを探索することを備える、請求項１に記載の方法。
【請求項４】
インターフェースを介して利用可能なネットワークのリストを与えることをさらに備え、ここにおいて、利用可能なネットワークの前記リストが、少なくとも１つのＷＬＡＮの識別子と、前記無認可周波数帯域中で前記セルラーＲＡＴを使用して通信する少なくとも１つのネットワークの別の識別子とを含む、請求項３に記載の方法。
【請求項５】
前記無認可周波数帯域中で前記セルラーＲＡＴを使用して通信する前記少なくとも１つのネットワークについて証明書が記憶されているかどうかを、前記インターフェースを介して示すことをさらに備える、請求項４に記載の方法。
【請求項６】
前記複数のネットワークを探索することが、前記１つまたは複数のユーザ定義ポリシーまたは事業者定義ポリシーに少なくとも部分的に基づく、請求項３に記載の方法。
【請求項７】
前記ネットワークを選択することが、前記１つまたは複数のユーザ定義ポリシーまたは事業者定義ポリシーに少なくとも部分的に基づいて、前記ネットワークおよびＷＬＡＮを使用して同時に通信するための前記ネットワークを選択することを備える、請求項３に記載の方法。
【請求項８】
前記１つまたは複数のユーザ定義ポリシーまたは事業者定義ポリシーが、前記ＷＬＡＮと、前記セルラーＲＡＴを使用して通信する前記ネットワークとへの同時接続が可能にされるかどうかを示す、請求項３に記載の方法。
【請求項９】
前記サービスプロバイダネットワークに関係する第２のネットワークが、前記無認可周波数帯域中で前記セルラーＲＡＴを介してモバイルネットワーク事業者（ＭＮＯ）ネットワークへのアクセスを広告すると決定することと、
１つまたは複数の上位レイヤに前記ネットワークと前記第２のネットワークとを報告することと、ここにおいて、前記ネットワークを選択することが、前記ネットワークまたは前記第２のネットワークを選択することを含む、
をさらに備える、請求項１に記載の方法。
【請求項１０】
前記ネットワークを選択することにおける認証の失敗を検出することに少なくとも部分的に基づいて、ブラックリストに前記ネットワークのネットワーク識別子を追加することをさらに備える、請求項１に記載の方法。
【請求項１１】
前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、請求項１０に記載の方法。
【請求項１２】
構成された時間期間の後に前記ブラックリストから前記ネットワークを削除することをさらに備える、請求項１０に記載の方法。
【請求項１３】
前記ネットワーク上で前記ＵＥを認証するために前記ネットワークに証明書を与えることをさらに備え、ここにおいて、前記証明書が、前記サービスプロバイダネットワークのサービスプロバイダに関係する別のネットワークの選択に関する、請求項１に記載の方法。
【請求項１４】
ワイヤレスネットワークサービスを検出するためのＵＥ装置であって、
ネットワークからの１つまたは複数のブロードキャストメッセージを発見するための手段と、ここにおいて、前記１つまたは複数のブロードキャストメッセージは、無認可周波数帯域中でセルラー無線アクセス技術（ＲＡＴ）を介してサービスプロバイダネットワークにアクセスするためのサービスを広告する、
前記サービスプロバイダネットワークに関係するサービスプロバイダを識別することに基づいて、前記ネットワークを選択することに関係する１つまたは複数のユーザ定義ポリシーまたは事業者定義ポリシーを決定するための手段と、
前記１つまたは複数のユーザ定義ポリシーまたは事業者定義ポリシーに少なくとも部分的に基づいて、アクセスのための前記ネットワークを選択するための手段と
を備える、ＵＥ装置。
【請求項１５】
請求項１ないし１３のいずれか一項に記載の方法の全てのステップを実施するためにコンピュータ実行可能であるプログラム命令を備えたコンピュータプログラム。
【手続補正２】
【補正対象書類名】明細書
【補正対象項目名】００８４
【補正方法】変更
【補正の内容】
【００８４】
[0090]上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求され得るが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
以下に本願の出願当初の特許請求の範囲に記載された発明を付記する。
［Ｃ１］  ワイヤレスネットワークサービスを検出するための方法であって、
ユーザ機器（ＵＥ）において、無認可周波数帯域中でセルラー無線アクセス技術（ＲＡＴ）を介してサービスプロバイダネットワークへのアクセスを広告するネットワークを発見することと、
前記ＵＥによって、前記ネットワークを選択することに関係する１つまたは複数のユーザ定義ポリシーまたは事業者定義ポリシーを決定することと、
前記１つまたは複数のユーザ定義ポリシーまたは事業者定義ポリシーに少なくとも部分的に基づいて、アクセスのための前記ネットワークを選択することと
を備える、方法。
［Ｃ２］  前記ネットワークに関係する前記１つまたは複数のユーザ定義ポリシーまたは事業者定義ポリシーを決定することが、前記サービスプロバイダネットワークに関係するサービスプロバイダまたは前記ネットワークのタイプを有するネットワークを選択することに関係する、前記１つまたは複数のユーザ定義ポリシーまたは事業者定義ポリシーを決定することを備える、Ｃ１に記載の方法。
［Ｃ３］  アクセスのための前記ネットワークを選択することが、さらに、アクセスのための前記ネットワークを選択することの前に、前記ネットワークのタイプまたはサービングネットワークの別のタイプのうちの少なくとも１つに少なくとも部分的に基づく、Ｃ１に記載の方法。
［Ｃ４］  前記１つまたは複数のユーザ定義ポリシーまたは事業者定義ポリシーのうちの少なくとも１つが、ワイヤレスローカルエリアネットワークと、前記無認可周波数帯域中で前記セルラーＲＡＴを使用して通信する前記ネットワークの両方に関する、Ｃ１に記載の方法。
［Ｃ５］  前記ネットワークを発見することが、ワイヤレスローカルエリアネットワーク（ＷＬＡＮ）と、前記無認可周波数帯域中で前記セルラーＲＡＴを使用して通信するネットワークの両方を含む複数のネットワークを探索することを備える、Ｃ１に記載の方法。
［Ｃ６］  インターフェースを介して利用可能なネットワークのリストを与えることをさらに備え、ここにおいて、利用可能なネットワークの前記リストが、少なくとも１つのＷＬＡＮの識別子と、前記無認可周波数帯域中で前記セルラーＲＡＴを使用して通信する少なくとも１つのネットワークの別の識別子とを含む、Ｃ５に記載の方法。
［Ｃ７］  前記無認可周波数帯域中で前記セルラーＲＡＴを使用して通信する前記少なくとも１つのネットワークについて証明書が記憶されているかどうかを、前記インターフェースを介して示すことをさらに備える、Ｃ６に記載の方法。
［Ｃ８］  前記複数のネットワークを探索することが、前記１つまたは複数のユーザ定義ポリシーまたは事業者定義ポリシーに少なくとも部分的に基づく、Ｃ５に記載の方法。
［Ｃ９］  前記ネットワークを選択することが、前記１つまたは複数のユーザ定義ポリシーまたは事業者定義ポリシーに少なくとも部分的に基づいて、前記ネットワークおよびＷＬＡＮを使用して同時に通信するための前記ネットワークを選択することを備える、Ｃ５に記載の方法。
［Ｃ１０］  前記１つまたは複数のユーザ定義ポリシーまたは事業者定義ポリシーが、前記ＷＬＡＮと、前記セルラーＲＡＴを使用して通信する前記ネットワークとへの同時接続が可能にされるかどうかを示す、Ｃ５に記載の方法。
［Ｃ１１］  前記サービスプロバイダネットワークに関係する第２のネットワークが、前記無認可周波数帯域中で前記セルラーＲＡＴを介してモバイルネットワーク事業者（ＭＮＯ）ネットワークへのアクセスを広告すると決定することと、
１つまたは複数の上位レイヤに前記ネットワークと前記第２のネットワークとを報告することと、ここにおいて、前記ネットワークを選択することが、前記ネットワークまたは前記第２のネットワークを選択することを含む、
をさらに備える、Ｃ１に記載の方法。
［Ｃ１２］  前記ネットワークを選択することにおける認証の失敗を検出することに少なくとも部分的に基づいて、ブラックリストに前記ネットワークのネットワーク識別子を追加することをさらに備える、Ｃ１に記載の方法。
［Ｃ１３］  前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ１２に記載の方法。
［Ｃ１４］  構成された時間期間の後に前記ブラックリストから前記ネットワークを削除することをさらに備える、Ｃ１２に記載の方法。
［Ｃ１５］  前記ネットワークを選択することが、ハンドオーバ、再選択、またはオフローディングのための前記ネットワークを選択することを備える、Ｃ１に記載の方法。
［Ｃ１６］  前記ネットワーク上で前記ＵＥを認証するために前記ネットワークに証明書を与えることをさらに備え、ここにおいて、前記証明書が、前記サービスプロバイダネットワークのサービスプロバイダに関係する別のネットワークの選択に関する、Ｃ１に記載の方法。
［Ｃ１７］  ワイヤレスネットワークサービスを検出するための装置であって、
無認可周波数帯域中でセルラー無線アクセス技術（ＲＡＴ）を介してサービスプロバイダネットワークへのアクセスを広告するネットワークを発見するように構成されたネットワーク発見構成要素と、
前記ネットワークを選択することに関係する１つまたは複数のユーザ定義ポリシーまたは事業者定義ポリシーを決定するように構成されたユーザ定義ポリシー構成要素または事業者定義ポリシー構成要素と、
前記１つまたは複数のユーザ定義ポリシーまたは事業者定義ポリシーに少なくとも部分的に基づいて、アクセスのための前記ネットワークを選択するように構成されたネットワーク接続構成要素と
を備える、装置。
［Ｃ１８］  前記ユーザ定義ポリシー構成要素または前記事業者定義ポリシー構成要素が、前記サービスプロバイダネットワークに関係するサービスプロバイダまたは前記ネットワークのタイプを有するネットワークを選択することに関係する、前記１つまたは複数のユーザ定義ポリシーまたは事業者定義ポリシーを決定するように構成された、Ｃ１７に記載の装置。
［Ｃ１９］  前記ネットワーク接続構成要素が、さらに、アクセスのための前記ネットワークを選択することの前に、前記ネットワークのタイプまたはサービングネットワークの別のタイプのうちの少なくとも１つに少なくとも部分的に基づいて、アクセスのための前記ネットワークを選択するように構成された、Ｃ１７に記載の装置。
［Ｃ２０］  前記１つまたは複数のユーザ定義ポリシーまたは事業者定義ポリシーのうちの少なくとも１つが、ワイヤレスローカルエリアネットワークと、前記無認可周波数帯域中で前記セルラーＲＡＴを使用して通信する前記ネットワークの両方に関する、Ｃ１７に記載の装置。
［Ｃ２１］  前記ネットワーク発見構成要素が、ワイヤレスローカルエリアネットワーク（ＷＬＡＮ）と、前記無認可周波数帯域中で前記セルラーＲＡＴを使用して通信するネットワークの両方を含む複数のネットワークを探索することに少なくとも部分的に基づいて、前記ネットワークを発見するように構成された、Ｃ１７に記載の装置。
［Ｃ２２］  インターフェースを介して利用可能なネットワークのリストを与えるように構成された手動選択構成要素をさらに備え、ここにおいて、利用可能なネットワークの前記リストが、少なくとも１つのＷＬＡＮの識別子と、前記無認可周波数帯域中で前記セルラーＲＡＴを使用して通信する少なくとも１つのネットワークの別の識別子とを含む、Ｃ２１に記載の装置。
［Ｃ２３］  前記ネットワーク発見構成要素が、前記１つまたは複数のユーザ定義ポリシーまたは事業者定義ポリシーに少なくとも部分的に基づいて、前記複数のネットワークを探索するように構成された、Ｃ２１に記載の装置。
［Ｃ２４］  前記ネットワーク接続構成要素が、前記１つまたは複数のユーザ定義ポリシーまたは事業者定義ポリシーに少なくとも部分的に基づいて、前記ネットワークおよびＷＬＡＮを使用して同時に通信するための前記ネットワークを選択するように構成された、Ｃ２１に記載の装置。
［Ｃ２５］  前記ネットワークを選択することにおける認証の失敗を検出することに少なくとも部分的に基づいて、ブラックリストに前記ネットワークのネットワーク識別子を追加するように構成されたネットワークブラックリスティング構成要素をさらに備え、ここにおいて、前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ２１に記載の装置。
［Ｃ２６］  ワイヤレスネットワークサービスを検出するための装置であって、
無認可周波数帯域中でセルラー無線アクセス技術（ＲＡＴ）を介してサービスプロバイダネットワークへのアクセスを広告するネットワークを発見するための手段と、
前記ネットワークを選択することに関係する１つまたは複数のユーザ定義ポリシーまたは事業者定義ポリシーを決定するための手段と、
前記１つまたは複数のユーザ定義ポリシーまたは事業者定義ポリシーに少なくとも部分的に基づいて、アクセスのための前記ネットワークを選択するための手段と
を備える、装置。
［Ｃ２７］  決定するための前記手段が、前記サービスプロバイダネットワークに関係するサービスプロバイダまたは前記ネットワークのタイプを有するネットワークを選択することに関係する、前記１つまたは複数のユーザ定義ポリシーまたは事業者定義ポリシーを決定する、Ｃ２６に記載の装置。
［Ｃ２８］  前記ネットワークを選択することにおける認証の失敗を検出することに少なくとも部分的に基づいて、ブラックリストに前記ネットワークのネットワーク識別子を追加するための手段をさらに備え、ここにおいて、前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ２６に記載の装置。
［Ｃ２９］  ワイヤレスネットワークサービスを検出するためのコンピュータ実行可能コードを備えるコンピュータ可読記憶媒体であって、前記コードが、
無認可周波数帯域中でセルラー無線アクセス技術（ＲＡＴ）を介してサービスプロバイダネットワークへのアクセスを広告するネットワークを発見するためのコードと、
前記ネットワークを選択することに関係する１つまたは複数のユーザ定義ポリシーまたは事業者定義ポリシーを決定するためのコードと、
前記１つまたは複数のユーザ定義ポリシーまたは事業者定義ポリシーに少なくとも部分的に基づいて、アクセスのための前記ネットワークを選択するためのコードと
を備える、コンピュータ可読記憶媒体。
［Ｃ３０］  前記ネットワークを選択することにおける認証の失敗を検出することに少なくとも部分的に基づいて、ブラックリストに前記ネットワークのネットワーク識別子を追加するためのコードをさらに備え、ここにおいて、前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ２９に記載のコンピュータ可読記憶媒体。